(57)【特許請求の範囲】
【請求項１】
オフセット印刷機の刷版面又は刷版に至るローラーの周面に、湿し水をノズルから噴霧して供給するスプレー式湿し水供給装置において、
湿し水噴出方向上流側の外周側から、湿し水噴出方向下流側の中央の噴口に向けて噴口周りを等分する複数の位置に傾斜のある案内面を有し、かつ外周面は汚れや異物の付着を防止する付着防止処理がなされているノズルと、
両側縁部を側壁に取り付けられ、かつノズルの湿し水噴出方向側に設けられ個々のノズルの噴口に対向する位置に開口部を有し、該開口部を除きノズル本体側空間を噴霧空間から隔離する隔壁部材とを設けた噴霧装置を有することを特徴とするスプレー式湿し水供給装置。
【請求項２】
オフセット印刷機の刷版面又は刷版に至るローラーの周面に、湿し水をノズルから噴霧して供給するスプレー式湿し水供給装置において、
湿し水噴出方向上流側の外周側から、湿し水噴出方向下流側の中央の噴口に向
けて噴口周りを等分する複数の位置に傾斜のある案内面を有し、かつ外周面は汚れや異物の付着を防止する付着防止処理がなされているノズルと、
両側縁部を側壁に取り付けられ、かつノズルの湿し水噴出方向側に設けられ個々のノズルの噴口に対向する位置に開口部を有し、該開口部を除きノズル本体側空間を噴霧空間から隔離する隔壁部材と、
隔壁部材の開口部を開閉可能な開閉手段とを設けた噴霧装置を有することを特徴とするスプレー式湿し水供給装置。
【発明の詳細な説明】
【０００１】
【発明の属する技術分野】
この発明は、オフセット印刷機におけるスプレー式湿し水供給装置に関する。詳細には、ノズルの噴口の周囲及びその付近の汚れ防止を可能としたスプレー式湿し水供給装置に関する。
【０００２】
【従来の技術】
従来、オフセット印刷は、画線部を親油性、非画線部を親水性にして形成された平版を刷版として印刷するもので、湿し水と油性インキとを刷版の表面に供給し両者の相互反発性を利用して画線部のみにインキを付着させて、これをブランケットを介して紙に印刷するものである。
【０００３】
オフセット印刷機において、刷版面又は刷版に至る間に配置されたローラーの周面に、湿し水をノズルから噴霧して供給する装置が公知である。そして、オフセット印刷機用湿し水装置のノズルの噴口は、噴霧粒径の微小化と精密な噴霧調整のため、長円形状の微小な穴があけられており、この穴に異物が引っかからないように、貯留容器からノズルに供給される湿し水の配管途上にフィルターが組み込まれ、微小な異物を濾過していた。この形式の装置の従来技術としては、例えば、新聞印刷ハンドブック（１９９７年１０月、社団法人日本新聞協会発行、７５頁乃至７６頁参照）に記載された技術（従来技術１）、及び実用新案登録第２６０２７９９号公報に開示された技術（従来技術２）が知られている。
【０００４】
従来技術１のスプレー式湿し水装置の噴霧装置には、一般に図１３に示すような形状のノズルＱ１０が多用されている。このノズルＱ１０は、ノズル端面Ｑ１６側にコの字形に彫られた一筋の溝Ｑ１７が設けられており、底面Ｑ１８の中央部にノズル端面Ｑ１６から突出しないように噴口Ｑ１３を有するノズルチップＱ１２が設けられて、湿し水が噴霧される装置である。
【０００５】
また、図１４に示す従来技術２は、湿し水の貯留容器Ｂ１から噴霧器Ｑ２０１に向け湿し水が加圧されて供給されるとき、異物を濾過するフィルターＱＦを経由して流れる湿し水を噴霧器Ｑ２０１の上流側において管路を開閉する第１弁Ｖ１と、前記管路を大気側に開放し大気の吸入を可能とする第４弁Ｖ４が設けられている。又、ノズルＱ２０の下流側管路に接続される前記貯留容器Ｂ１、減圧容器Ｂ２及び加圧容器Ｂ３への管路途上には、それぞれ貯留容器Ｂ１に対し、湿し水の管路を開閉する第６弁Ｖ１ａ、減圧ポンプＵ２によって大気より低い圧力に減圧されている減圧容器Ｂ２に対し管路を開閉する第２弁Ｖ２、及び加圧ポンプＵ３によって大気より高い圧力に加圧された洗浄液Ｍを有する加圧容器Ｂ３に対し管路を開閉する第３弁Ｖ３が設けられている。（実用新案登録第２６０２７９９号公報、図１４参照）。
【０００６】
従来技術２において、噴口Ｑ２３に詰まった異物を除去しようとするときは、湿し水を噴霧している作動状態を噴霧器Ｑ２０１内の電磁弁Ｖ５を閉じて終了させ、噴霧器Ｑ２０１の上流側と下流側とに設けられた第１弁Ｖ１及び第６弁Ｖ１ａを閉じる。次に、第２弁Ｖ２を開いて管路を減圧容器Ｂ２側に開通させると管路内が負圧となり、かつ電磁弁Ｖ５を開くと管路が大気側に開通する。すると、噴口Ｑ２３から大気が吸引され、噴口Ｑ２３に詰まっていた異物が、残留している噴口Ｑ２３付近の湿し水及び管路内の湿し水とともに、管路内に引き込まれようとする。その後、第４弁Ｖ４が開かれ、管路内の異物を含んだ残留液が、減圧容器Ｂ２内に吸引され、これらの操作を数回繰り返すことによって噴口Ｑ２３に詰まった異物を除去している。
【０００７】
上記した従来技術２の噴口Ｑ２３に詰まった異物を除去する操作を数回行っても、なお異物を除去できないときは、噴霧器Ｑ２０１の上流側と下流側とに設けられた第１弁Ｖ１及び第６弁Ｖ１ａを閉じるとともに、噴口Ｑ２３の直前に遮蔽板Ｑ２７１を移動させる。そして次に、第３弁Ｖ３を開いて管路を加圧容器Ｂ３側に開通させると、加圧容器Ｂ３からノズルＱ２０に供給される洗浄液Ｍが、噴口Ｑ２３から噴霧され、噴口Ｑ２３に詰まっていた異物が、噴口Ｑ２３から放出される。同時に遮蔽板Ｑ２７１に噴霧された洗浄液Ｍが遮蔽板Ｑ２７１に吹き付けられて飛散し、その飛散した洗浄液Ｍによって、ノズルＱ２０の周囲に付着している汚れが洗浄されていた。
【０００８】
【発明が解決しようとする課題】
上記従来技術１及び従来技術２には、以下のような解決すべき課題があった。すなわち新聞印刷ハンドブックに記載された従来技術１におけるノズルでは、ノズル端面に彫られたコの字形の溝の中から湿し水が噴霧される。一般に、周囲と速度差のある噴出流体の回りには、噴出した流体の速度エネルギーによって周囲の流体を吸引するように圧力が低下する。そのため、噴出流体の周囲では湿し水が噴霧される度に、インキミストや紙粉などで汚れた雰囲気が複雑な渦の流れとなって、ノズルチップなどに衝突し、瞬く間にそれらの表面を汚すとともに、ノズルチップ周辺に湿し水の残留水として液溜まりを生じる。そして、液溜まりとなった残留水は印刷終了後に蒸発し析出する汚れにより噴霧状態が悪化するので、湿し水の噴霧量を最適化するために、湿し水の噴霧量の調整作業と、噴霧機能を維持するために定期的な清掃作業とが必要となり、ノズルの管理に手間が掛かる課題があった。
【０００９】
また、実用新案登録第２６０２７９９号公報に記載された従来技術２では、整備されたスプレー式湿し水装置では、管路内のフィルターによって噴口を塞ぐような異物は、通常供給されないようになっている。しかし、湿し水の噴霧空間には霧化した湿し水、インキミスト及び紙粉が混在して浮遊している。このような物質を含む湿し水の残留水が、ノズルの周囲に付着した液溜まりに混入し、印刷終了後に蒸発して汚れを析出し、汚れが蓄積されて異物となり、噴口を塞ぐおそれがあった。
【００１０】
また、ノズル清掃時にこれらの異物が噴口から入り込んで噴口を塞いだり、長円形状の噴口内に入り込み、これらの異物が噴霧時に噴口内側の短径側に引っ掛かり詰まるおそれがあった。更に、このような噴口の詰まりに対して、管路の負圧によって噴口内の異物を吸引しようとしても、微小な穴からの大気の吸引では吸引力が弱く、異物を吸引できないおそれがあった。
【００１１】
また、ノズルの周囲に付着している異物が、何らかの原因で噴口の周囲から噴口内へ吸い込まれ、噴口を益々詰まらせるおそれがあり、噴口の詰まりを防止することは従来技術では困難であるという課題があった。
【００１２】
前記したように噴口内に異物が入り込み詰まりが生じたときには、加圧容器内の洗浄液を噴口の直前に設けられた遮蔽板に向けて噴口から噴霧して、噴口内の異物を除去しようとするとともに、遮蔽板から反射する洗浄液でノズルの外周部を洗浄しようとする。しかし、加圧された洗浄液の圧力は、噴口内に入り込んだ固化の進んだ異物に対しては、微小な噴口径により圧力が降下し、異物に対しての作用する力が弱まり、結局異物を放出することができず、異物の除去効果が低いという課題があった。
【００１３】
また、噴霧された洗浄液は、遮蔽板に吹き付けられると反射するどころか、多くは遮蔽板の平面に沿う方向に拡散して流れ、遮蔽板に対向するノズル側には洗浄のための噴霧作用が充分に行われないおそれがあった。更に、洗浄動作終了後にノズルの周囲に残留水が生じ、その後蒸発して汚れが析出するので、洗浄効果を期待し得ないという課題があった。
【００１４】
そして、従来技術２では、噴口への異物の詰まりや周囲に付着する汚れの除去目的のために、減圧容器、加圧容器、遮蔽板及びこれらの制御装置というような大掛かりな装置が必要となり、そのための設置スペースや多額の費用が掛かる課題があった。
【００１５】
この発明は、前記した様々な課題を解決するもので、簡易な装置によって、第１にノズル表面への異物の付着を防止し、第２にノズルの、少なくとも噴口を容易かつ確実に洗浄可能にするスプレー式湿し水供給装置である。
【００２２】
【課題を解決するための手段】
上記課題を解決するために、オフセット印刷機の刷版面又は刷版に至るローラーの周面に、湿し水をノズルから噴霧して供給するスプレー式湿し水供給装置において、
湿し水噴出方向上流側の外周側から、湿し水噴出方向下流側の中央の噴口に向けて噴口周りを等分する複数の位置に傾斜のある案内面を有し、かつ外周面は汚れや異物の付着を防止する付着防止処理がなされているノズルと、
両側縁部を側壁に取り付けられ、かつノズルの湿し水噴出方向側に設けられ個々のノズルの噴口に対向する位置に開口部を有し、該開口部を除きノズル本体側空間を噴霧空間から隔離する隔壁部材とを設けた噴霧装置を有することを特徴とするスプレー式湿し水供給装置を提案する。
【００２３】
更に、オフセット印刷機の刷版面又は刷版に至るローラーの周面に、湿し水をノズルから噴霧して供給するスプレー式湿し水供給装置において、
湿し水噴出方向上流側の外周側から、湿し水噴出方向下流側の中央の噴口に向
けて噴口周りを等分する複数の位置に傾斜のある案内面を有し、かつ外周面は汚れや異物の付着を防止する付着防止処理がなされているノズルと、
両側縁部を側壁に取り付けられ、かつノズルの湿し水噴出方向側に設けられ個々のノズルの噴口に対向する位置に開口部を有し、該開口部を除きノズル本体側空間を噴霧空間から隔離する隔壁部材と、
隔壁部材の開口部を開閉可能な開閉手段とを設けた噴霧装置を有することを特徴とするスプレー式湿し水供給装置を提案する。
【００２５】
【発明の実施の形態】
この発明に係るスプレー式湿し水装置を表す図面であり、第１実施形態におけるノズルを示し、４つの傾斜した溝からなる案内面を備えたノズルの部分断面説明図である図１、同じく図１のノズルの平面を示す図２、同じく図２のノズルの斜視を示す図３、この発明の第２実施形態におけるノズルを示し、４つの面からなる案内面を備えたノズルの斜視説明図である図４、この発明の第３実施形態におけるノズルを示し、円錐状面からなる案内面を備えたノズルの斜視説明図である図５、この発明の第４実施形態におけるノズルを示し、隔壁部材を備え、かつ図３に示す傾斜した溝からなる案内面を備えたノズルの部分断面説明図である図６、この発明の第５実施形態におけるノズルを示し、隔壁部材を備え、かつ図５に示す円錐状面からなる案内面を備えたノズルの部分断面説明図である図７、この発明の第６実施形態におけるノズルを示し、開閉手段を有する隔壁部材を備え、かつ４つの傾斜した溝からなる案内面を備えたノズルを有する噴霧装置の部分断面説明図である図８、図８に示す開閉手段を有する隔壁部材の斜視説明図である図９、この発明の第７実施形態におけるノズルを示し、４つの傾斜した貫通穴からなる案内面を備えたノズルを有する噴霧装置の部分断面説明図である図１０、この発明の各実施形態のノズルを備えた噴霧器を有する湿し水供給装置の概略構成説明図である図１１、この発明に係るスプレー式湿し水供給装置の噴霧装置の配置説明図で、印刷機の正面を示す説明図である図１２に基づいて説明する。
【００２６】
この発明に係るスプレー式湿し水供給装置Ａは、図１１及び図１２に図示するように、オフセット印刷機ＰのローラーＲに対向し近接して設けられた噴霧装置１００と、加圧給水装置Ｂと、軟水化装置Ｃと、制御装置Ｄとからなる。ＰＲは印刷胴、Ｗはウェブ料紙、１０６は排水路、Ｅは排水される外部を示す。噴霧装置１００には、図３乃至図５及び図１０に示すようなノズル１０、２０、３０、９０が噴霧器１０１に取り付けられ、適宜な間隔で配列されている。
【００２７】
加圧給水装置Ｂは、軟水化装置Ｃによって原水を軟水化し、その軟水の表面張力を下げる処理をし、適宜の導電率に管理された湿し水を調整して、その湿し水をフィルターＦで濾過して噴霧装置１００へ供給している。
【００２８】
制御装置Ｄは、必要に応じ加圧給水装置Ｂ及び噴霧装置１００に設けられた噴霧器１０１に対し作動指令を出し、噴霧器１０１の図示しない電磁弁を作動させノズル１０、２０、３０、９０から湿し水を適宜噴霧させる。
【００２９】
次に、この発明の実施形態に係るスプレー式湿し水供給装置Ａの噴霧装置１００のノズル１０、２０、３０、９０について説明する。図１乃至図３はこの発明のスプレー式湿し水供給装置Ａの噴霧装置１００に係る第１実施形態のノズル１０、図４は第２実施形態のノズル２０、図５は第３実施形態のノズル３０、図１０は第７実施形態のノズル９０を示す。ノズル１０は、図６及び図８に示すように噴霧装置１００の支持部材１０４に取り付けられた噴霧器１０１の一端側にナット１０２によってノズルフランジ１５を抱え込まれて固定される。ノズル２０、３０、９０についてもノズル１０と同様の取り付け方、作用を有する。
【００３０】
この発明のスプレー式湿し水供給装置Ａの噴霧装置１００のノズルチップ１２、２２、３２、９２は、噴口１３、２３、３３、９３側を頂点とする断面が台形の円錐形状をなし、その頂点側には適宜な幅と深さのすりわり１４が設けられている。噴口１３、２３、３３、９３は、すりわり１４の中央部に長円形状の小さな穴として開口し、湿し水の噴霧が可能なようにノズル本体１１、２１、３１、９１への湿し水供給路１０３に通じている。
【００３１】
この発明の第１実施形態に係るノズル１０は、ノズルチップ１２の噴口１３がノズル端面１６から突出しないように彫り込まれたノズル本体１１の中央部に嵌入される。ノズル本体１１には、ノズルチップ１２の取付部から十字形状に四方に向かう傾斜面である案内面１が形成されており、案内面１は噴口１３から湿し水が噴霧されることによって生じる気流Ｈを斜面上方へ案内し、またノズルチップ１２の周辺に残留しようとする湿し水の残留水を流れ落とす作用を有する。
【００３２】
案内面１は、ノズル本体１１のノズルフランジ１５側からノズルチップ１２の方向、すなわち噴出方向上流側のノズル本体１１外周側から噴出方向下流側のノズル本体１１中央側に向けて傾斜をなす複数の溝１７から形成される。この実施形態では噴口１３から平面視十字形状に四方に向かう４つの溝１７からなる。それぞれの溝１７の底面１８は、断面Ｕ字形状の曲面をなしている。溝１７の幅、深さ、傾斜角度は適宜である。
【００３３】
案内面１を形成する溝１７は、２本以上の複数本でもよく、また、溝の断面形状はＶ字形状等、気流Ｈを乱さない形状であればよい。
【００３４】
図１０に、第７実施形態である案内面９を有するノズル９０の部分断面図を示す。ノズル９０は、ノズルチップ９２とノズル本体９１とからなり、ノズルチップ９２は、ノズル端面９６の中央部に開口する穴９６ａの中に設けられる。第７実施形態では案内面９は、ノズル本体９１のノズルフランジ９５側からノズルチップ９２の方向、すなわち噴出方向上流側のノズル本体９１外周側から噴出方向下流側のノズル本体９１中央側に向けて傾斜を有して貫通する傾斜穴９７の内周面から形成される。傾斜穴９７は、この実施形態では噴口９３から四方に向かう４つの傾斜穴９７からなる。それぞれの傾斜穴９７の内周面は、断面円形状、長円形状等の曲面をなしている。傾斜穴９７の内径、傾斜角度は適宜である。
【００３５】
次に、この発明の第２実施形態に係るスプレー式湿し水供給装置Ａの噴霧装置１００のノズル２０について説明する。図４に示すように、ノズル２０は、ノズル本体２１が、四角錐形状をなし、その頂点側に設けられた平坦部の中央に噴口２３を有する円錐形状をしたノズルチップ２２が嵌入される。ノズルチップ２２の構成作用は、第１実施形態のノズルチップ１２と同じである。ノズル本体２１は、四角錐状面からなる案内面２が設けられており、案内面２は、湿し水の噴口２３からの噴霧に伴って生じる気流Ｈを案内し、またノズルチップ２２の周辺に残留しようとする湿し水の残留水を流れ落とす作用を有する。
【００３６】
案内面２は、ノズル本体２１のノズルフランジ２５側からノズルチップ２２の方向、すなわち噴出方向上流側のノズル本体２１外周側から噴出方向下流側のノズル本体２１中央側に向けて適宜の角度に傾斜をした４つの傾斜面２７からなる四角錐状面から形成される。案内面２の他の実施形態としては、三角錐、或いは五角錐以上の斜面を有する多角錐の傾斜面２７から形成してもよく、また複数の平面ではなく、二面以上の複数の異なる曲面を組み合わせて形成しても、曲面と平面とを複数組み合わせた斜面から形成してもよい。
【００３７】
次に、この発明の第３実施形態に係るスプレー式湿し水供給装置Ａの噴霧装置１００のノズル３０について説明する。図５に示すように、ノズル３０は、ノズル本体３１が、円錐形状をなし、その頂点側に設けられた平坦部の中央に噴口３３を有する円錐形状をしたノズルチップ３２が嵌入される。ノズルチップ３２の構成作用は、第１実施形態のノズルチップ１２と同じである。ノズル本体３１は、円錐状面３７からなる案内面３が設けられており、案内面３は、湿し水の噴口３３からの噴霧に伴って生じる気流Ｈを案内し、またノズルチップ３２の周辺に残留しようとする湿し水の残留水を流れ落とす作用を有する。
【００３８】
案内面３は、ノズル本体３１のノズルフランジ３５側からノズルチップ３２の方向、すなわち噴出方向上流側のノズル本体３１外周側から噴出方向下流側のノズル本体３１中央側に向けて適宜の角度に傾斜をした円錐状面３７から形成される。
【００３９】
上記第１実施形態の案内面１を形成するそれぞれの溝１７の底面、第２実施形態の案内面２を形成するそれぞれの傾斜面２７、第３実施形態の案内面３を形成する円錐状面３７及び第７実施形態の案内面９を形成するそれぞれの傾斜穴９７の傾斜面は、それぞれ鼓形に内側に凹んだ一葉双曲面（共立出版社、昭和５５年１０月２０日発行、数学小辞典、１７頁参照）の一部からなる曲面、又は砲弾形に膨らんだ曲面の一部からなる曲面等、噴口１３、２３、３３、９３を有するノズルチップ１２、２２、３２、９２に近づくにしたがって傾きが変化する曲面や多角面を用いることが可能である。
【００４０】
次に、この発明の第４実施形態に係るスプレー式湿し水供給装置Ａの噴霧装置１００は、図６に示すように第１実施形態のノズル１０のノズルチップ１２の噴口１３の前方に開口部４１を位置させた隔壁部材４０を有する。ノズル１０は、噴霧装置１００の支持部材１０４に取り付けられた噴霧器１０１の一端側にナット１０２によってノズルフランジ１５を抱え込まれて固定される。
【００４１】
隔壁部材４０は、開口部４１が噴口１３から噴霧された噴霧の流れを妨げないように開口し、ノズル端面１６の一部又は全部に接触又は接近して設けられる。開口部４１の周囲には、噴霧の流れを案内するフード４２が設けられる。隔壁部材４０の両側縁部４３、４３は、噴霧装置１００の側壁１０５、１０５に取り付けられており、ノズル本体１１側の空間である隔壁空間８１と、ローラーＲ側の空間である噴霧空間８１ａとは、開口部４１を除き、隔壁部材４０によって隔離されている。そして、噴口１３から湿し水が噴霧されたとき、それに伴って生じる急速な気流Ｈは、隔壁空間８１から主に案内面１であるそれぞれの溝１７からフード４２、開口部４１を通って噴霧空間８１ａに流れ込む。
【００４２】
次に、この発明の第５実施形態に係るスプレー式湿し水供給装置Ａの噴霧装置１００は、図７に示すように第３実施形態のノズル３０のノズルチップ３２の噴口３３の前方に開口部５１を位置させた隔壁部材５０を有する。
【００４３】
隔壁部材５０は、開口部５１が噴口３３から噴霧された噴霧の流れを妨げないように開口し、ノズル本体３１の円錐状面３７から適宜間隔をあけて円錐状面３７と平行面に近い面を有し開口部５１の周囲にフード５２が設けられる。隔壁部材５０の両側縁部は、第４実施例の隔壁部材４０の両側縁部４３、４３と同様であり、噴霧装置１００の側壁１０５、１０５に取り付けられている。ノズル本体３１側の空間である隔壁空間８２と、ローラーＲ側の空間である噴霧空間８２ａとは、開口部５１を除き、隔壁部材５０によって隔離されている。そして、噴口３３から湿し水が噴霧されたとき、それに伴って生じる急速な気流Ｈは、隔壁空間８２から主に案内面３である円錐状面３７に沿って円錐状面３７とフード５２との間を流れ、フード５２から開口部４１を通って噴霧空間８２ａに流れ込む。
【００４４】
この発明の第８実施形態に係るスプレー式湿し水供給装置Ａの噴霧装置１００は、第２実施形態のノズル２０（図４参照）に隔壁部材（図示せず）を備えてなる。この第８実施形態の噴霧装置１００の隔壁部材は、第５実施形態の噴霧装置１００に用いられるノズル３０（第３実施形態）をノズル２０（第２実施形態）に置き換えたものであり、隔壁部材は第５実施形態の噴霧装置１００に用いられる隔壁部材５０と同様である。
【００４５】
次に、この発明の第６実施形態に係るスプレー式湿し水供給装置Ａの噴霧装置１００は、図８に示すように第１実施形態のノズル１０のノズルチップ１２の噴口１３の前方に開口部６１を位置させた隔壁部材６０を有し、かつ隔壁部材６０の開口部６１を開閉可能なシャッター７１を有する開閉手段７０を有する。ノズル１０は、噴霧装置１００の支持部材１０４に取り付けられた噴霧器１０１の一端側にナット１０２によってノズルフランジ１５を抱え込まれて固定される。
【００４６】
隔壁部材６０は、開口部６１が噴口１３から噴霧された噴霧の流れを妨げないように開口し、ノズル端面１６の一部又は全部に接触又は接近して設けられる。開口部６１の周囲には、噴霧の流れを案内するフード６２が設けられる。隔壁部材６０の両側縁部６３、６３は、噴霧装置１００の側壁１０５、１０５に取り付けられており、ノズル本体１１側の空間である隔壁空間８３と、ローラーＲ側の空間である噴霧空間８３ａとは、開口部６１を除き、隔壁部材６０によって隔離されている。そして、噴口１３から湿し水が噴霧されたとき、それに伴って生じる急速な気流Ｈは、隔壁空間８３から主に案内面１であるそれぞれの溝１７からフード６２、開口部６１を通って噴霧空間８３ａに流れ込む。
【００４７】
開閉手段７０は、図８及び図９に示すように隔壁部材６０に設けられ、開口部６１を開放又は閉塞可能なシャッター７１と、シャッター７１を駆動する流体圧シリンダー７２からなる。流体圧シリンダー７２の一端側は、ブラケット７３にピン７３ｂによって角変位可能に支持されており、ブラケット７３は、ボルト７３ａで隔壁部材６０に固定されている。流体圧シリンダー７２の他端側は、ピストンロッド７２ａの先端部に取り付けられた継手７４によって、シャッター７１と一体となって動くアーム７５の一端側にピン７４ａを介して接続される。アーム７５の他端側は、隔壁部材６０に設けられた軸受部６６に角変位可能に支持された軸７６の一端側に取り付けられ、軸７６の他端側にシャッター７１の一端側が取り付けられる。
【００４８】
シャッター７１の他端側は、開口部６１を開放及び閉塞するために必要かつ十分な広さを有する形状で、この実施例ではシャッター７１の形状は平面視扇形状である。シャッター７１は、一方の面で開口部６１の開口縁６４に接しながら軸７６を中心に角変位可能である。軸７６を中心にシャッター７１が角変位するためシャッター７１の先端縁７１ａは円弧状を描く。シャッター７１の先端縁７１ａが描く円弧に沿って開口縁６４の一部にガイド６５が設けられる。ガイド６５は、シャッター７１が噴霧方向へ変位することを防止するとともに、角変位するシャッター７１の先端縁７１ａを案内する。
【００４９】
流体圧シリンダー７２のピストンロッド７２ａが伸長すると、アーム７５が軸７６を中心にして角変位し、軸７６に固定されたシャッター７１が開口部６１を閉塞するように角変位する。流体圧シリンダー７２のピストンロッド７２ａが縮退すると、アーム７５が逆方向に角変位し、軸７６に固定されたシャッター７１が開口部６１を開放するように角変位する。
【００５０】
個々のシャッター７１、・・・は、複数のノズル１０、・・・に対応する個々の開口部６１、・・・に設けられ、個々の流体圧シリンダー７２、・・・によって作動される。図示しない第９実施形態としては、複数のノズル１０、・・・に設けられる個々のシャッター７１、・・・は、隣接するアーム７５をリンクで全部又は適宜数連結することによって１つ又は適宜数の流体圧シリンダー７２によって一斉に作動させることが可能である。
【００５１】
この発明の第１実施形態乃至第９実施形態に係るノズル本体１１、２１、３１、９１及びノズルチップ１２、２２、３２、９２の外周面は、汚れや異物の付着を防止するため付着防止処理を施すことも可能である。この付着防止処理は、例えば表面粗さを極めて細かく滑らかにする加工処理、又は表面をはつ水性及びはつ油性のある物質で被覆する処理がある。通常ノズル材料には、ステンレス鋼が用いられるので、表面粗さを極めて細かく滑らかにする加工処理としては、電磁研摩加工があり、表面にはつ水性及びはつ油性を付与する処理としては、フッ素系樹脂やシリコン系樹脂等による被覆処理がある。
【００５２】
また、この発明の第４実施形態乃至第６実施形態及び第８実施形態、第９実施形態に係る隔壁部材４０、５０、６０の表面、及び第６実施形態、第９実施形態の開閉手段７０のシャッター７１の表面をも同様な処理により加工しておけば、噴霧装置１００の内部汚れが少なくなり、清掃作業が容易になる。
【００５３】
次に、この発明の実施形態に係るスプレー式湿し水供給装置Ａの作用について説明する。この発明の実施形態に係るスプレー式湿し水供給装置Ａの全体的な作用は、図１１及び図１２に示すように、制御装置Ｄが作動すると加圧給水装置Ｂが作動し、噴霧装置１００に湿し水を供給する。印刷機Ｐが印刷を開始するとともに、制御装置Ｄからの指令により、噴霧装置１００のそれぞれの噴霧器１０１、・・・に組み込まれた電磁弁（図示せず）が作動し、加圧された湿し水がフィルターＦで濾過されてそれぞれの噴霧器１０１、・・・に供給される。それぞれの噴霧器１０１、・・・に供給された湿し水は、それぞれのノズル１０、・・・の噴口１３（ノズル２０、・・・では噴口２３、ノズル３０、・・・では噴口３３、ノズル９０、・・・では噴口９３）から対向するローラーＲの周面に噴霧される。すると、各実施形態におけるノズル１０、２０、３０、９０には、それぞれ案内面１、２、３、９が備えられているので、各ノズル本体１１、２１、３１、９１の周辺の空気が誘い込まれ、それがノズルチップ１２、２２、３２、９２に向け急速な気流Ｈとなって吹き上げる作用をし、また、ノズルチップ１２、２２、３２、９２の周辺に残留しようとする湿し水の残留水を流れ落とすように案内するように作用する。これらの作用によって、噴口１３、２３、３３、９３の周辺には、液溜まりが発生しなくなり、ノズルチップ１２、２２、３２、９２やその周辺に汚れが付着せず、かつ残留水の蒸発による汚れの析出が生じなくなるので、噴霧性能が長期にわたり維持されノズル１０、２０、３０、９０の管理が容易となる。
【００５４】
ローラーＲの周面に噴霧され転移されなかった余剰の湿し水や、その他の異物は、噴霧装置１００内に集められ、排水路１０６を経て外部Ｅへ排出される。このように、この発明に係るスプレー式湿し水供給装置Ａは、大掛かりな構成とすることなく、十分な作用効果を発揮し得る。
【００５５】
次に、この発明の実施形態に係るスプレー式湿し水供給装置Ａの案内面１、２、３、９、隔壁部材４０、５０、６０及び開閉手段７０についての個々の作用を説明する。
【００５６】
第１実施形態におけるノズル１０に備えられた案内面１は、ノズルチップ１２を中心にノズル本体１１の外周四方に向け彫り込まれた４つの溝１７に気流を案内し、また、ノズルチップ１２の周辺に残留しようとする湿し水の残留水を流れ落とすように案内する。噴口１３から湿し水が噴霧されることによって誘い込まれるノズル本体１１周辺の空気を溝１７に集め、有害な渦を生じることなくノズルチップ１２に向け、噴霧とともに四方から急速な気流Ｈとして吹き上げ、噴霧中にノズルチップ１２への異物の付着を防止するとともに、残留水の液溜まりを生じることががなく、残留水の蒸発による汚れの析出が生じない。案内面１である溝１７の横断面形状がＶ字形状の場合でも同様な作用が得られる。また、第７実施形態のように傾斜穴９７の内周面を案内面９とした場合でも、湿し水の噴霧によって噴口９３付近が減圧されて傾斜穴９７から空気を誘い込み、また残留水の液溜まりがなく同様な作用が得られる。
【００５７】
第２実施形態におけるノズル２０に備えられた案内面２は、噴口２３から湿し水が噴霧されることによって、ノズル本体２１周辺の空気を四角錐形状の傾斜面２７に沿って誘い込んで案内し、また、ノズルチップ２２の周辺に残留しようとする湿し水の残留水を傾斜面２７から流れ落とすように案内する。ノズルチップ２２に向け有害な渦を生じることなく、噴霧とともに急速な気流Ｈとして吹き上げ、噴霧中にノズルチップ２２への異物の付着を防止するとともに、残留水の液溜まりを生じることががなく、残留水の蒸発による汚れの析出が生じない。
【００５８】
第３実施形態におけるノズル３０に備えられた案内面３は、噴口２３から湿し水が噴霧されることによって、ノズル本体３１周辺の空気を円錐状面３７に沿って、その周囲の空気を乱れなく流れるように案内し、また、ノズルチップ３２の周辺に残留しようとする湿し水の残留水を円錐状面３７から流れ落とすように案内する。ノズルチップ３２に向け有害な渦を生じることなく、噴霧とともに急速な気流Ｈとして吹き上げ、噴霧中にノズルチップ３２への異物の付着を防止するとともに、残留水の液溜まりを生じることががなく、残留水の蒸発による汚れの析出が生じない。
【００５９】
第４実施形態におけるノズル１０に備えられた隔壁部材４０は、図６に示すように第１実施形態におけるノズルチップ１２に対向しており、フード４２を有する開口部４１を、ノズル１０の噴口１３に対向させて設けられる。開口部４１は、ノズル本体１１に設けられる案内面１である溝１７に通じており、フード４２を設けた隔壁部材４０は、噴霧中に噴霧空間８１ａの空気が隔壁空間８１の方へ巻き込まれないように防止する作用を有する。
【００６０】
隔壁空間８１側に設けられているノズル１０の噴口１３から噴霧される湿し水によって誘い込まれる空気は、インキミストや紙粉の混在しない清浄な空気として隔壁空間８１から供給される。この清浄な空気が、湿し水の噴霧とともに急速な気流Ｈとなって噴霧空間８１ａに向けて吹き上がり、この気流Ｈの作用によってノズルチップ１２への異物の付着を防止する。
【００６１】
第５実施形態におけるノズル３０に備えられた隔壁部材５０は、図７に示すように第３実施形態におけるノズルチップ３２に対向しており、フード５２を有する開口部５１を、ノズル３０の噴口３３に対向させて設けられる。フード５２は、ノズル本体３１に設けられる案内面３である円錐状面３７に適宜な間隔で設けられており、フード５２を設けた隔壁部材５０は、噴霧中に噴霧空間８２ａの空気が隔壁空間８２の方へ巻き込まれないように防止する作用を有する。
【００６２】
隔壁空間８２側に設けられているノズル３０の噴口３３から噴霧される湿し水によって誘い込まれる空気は、インキミストや紙粉の混在しない清浄な空気として隔壁空間８２から供給される。この清浄な空気が、湿し水の噴霧とともに急速な気流Ｈとなって噴霧空間８２ａに向けて吹き上がり、この気流Ｈの作用によってノズルチップ３２への異物の付着を防止する。
【００６３】
第６実施形態におけるノズル１０に備えられた隔壁部材６０に設けられた開閉手段７０は、図８及び図９に示すように、流体圧シリンダー７２を作動させることによって、シャッター７１を角変位させ、隔壁部材６０に設けられた開口部６１を開放又は閉塞させる。
【００６４】
印刷機Ｐが停止状態にあるときは、流体圧シリンダー７２のピストンロッド７２ａが伸長状態にあって、シャッター７１が開口部６１を閉塞している。シャッター７１によって閉塞された開口部６１とノズルチップ１２との間には、閉塞空間６７が形成される。
【００６５】
印刷機Ｐが運転状態になり、かつ噴霧装置１００が運転待機状態にはいると、流体圧シリンダー７２のピストンロッド７２ａが縮退状態となり、シャッター７１が開口部６１を開放し、湿し水が噴霧可能状態となる。印刷機Ｐが印刷を開始し、噴霧装置１００が作動し、第４実施形態及び第５実施形態における作用で説明したように、噴口１３から湿し水が噴霧されることによって、ノズル本体１１の周辺の空気を誘い込んで案内し、ノズルチップ１２に向けて急速な気流Ｈとして吹き上げ、この作用により噴霧中におけるノズルチップ１２への異物の付着を防止する。そして、印刷が終了すると、流体圧シリンダー７２のピストンロッド７２ａが伸長状態となり、シャッター７１が開口部６１を閉塞する。
【００６６】
シャッター７１の閉塞状態において噴霧装置１００を作動させると、湿し水が噴口１３から噴霧されるが、噴口１３に対向するシャッター７１の面に当たり、閉塞空間６７で奔流液体となるため、この奔流液体によって開口部６１の内側が洗浄されるとともに、ノズルチップ１２及びノズル本体１１が強制的に洗浄される。また、ノズルチップ１２の周辺には、残留水の液溜まりが発生しないので、残留水の蒸発による汚れが析出しない。洗浄のために噴霧された湿し水は、集められて噴霧装置１００の排水路１０６から外部Ｅへ排出される。この噴霧による洗浄時間は、適宜に設定でき、通常は印刷終了とともに隔壁空間８３内が清浄な環境にある状態で行われる。
【００６７】
以上の各実施形態のおけるノズル１０、２０、３０、９０の外周面に付着防止処理が施されていると、汚れがノズル外周面に付着しないか、汚れが付着しても付着力が弱く剥離しやすい。例えば、ノズル１０、２０、３０、９０の外周面に滑らかな表面加工が施されている場合、表面の「ざらつき」や「ばり」がなく、汚れの絡み付きや、異物の付着が起こり難い。また、ノズル１０、２０、３０、９０の外周面にはつ水性やはつ油性の表面処理がなされている場合は、その表面への水や油の付着力、すなわち汚れの付着力が極めて弱く、汚れの付着や蓄積が起こり難い。
【００６８】
上述したように、この発明の各実施形態で述べた各案内面、隔壁部材及び開閉手段、及び付着防止処理手段の各構成要素によって、またそれらの構成要素の相乗作用によって、異物の付着防止作用や洗浄作用は、極めて効率的に行われ、常にノズル１０、２０、３０、９０を清浄に保つことができる。
【００６９】
【発明の効果】
この発明によれば以下のような効果がある。
案内面による気流吹き上げにより、従来湿し水の噴霧中に生じていたノズルの汚れ付着及び汚れ蓄積を、防止することができ、また、残留水の流れ落ちにより、残留水の液溜まりを生じることがなく、残留水の蒸発による汚れの析出を防止することができ、ノズルの清掃管理が容易になった。
【００７０】
更に、ノズルの汚れ防止が得られ、装置の管理が容易となり、長期間にわたり湿し水の噴霧供給の安定が得られたことにより、最適な印刷状態が得られ、最良な印刷品質を維持することが可能になった。更にまた、この発明によれば、汚れ防止のために、大掛かりな装置が不要となり、コストの低減を図ることが可能になった。
【００７１】
この発明によれば、湿し水噴出方向上流側の外周側から、湿し水噴出方向下流側の中央の噴口に向けて噴口周りを等分する複数の位置に傾斜のある案内面を有し、かつ外周面は汚れや異物の付着を防止する付着防止処理がなされているノズルと、両側縁部を側壁に取付けられ、かつノズルの湿し水噴出方向側に設けられ個々のノズルの噴口に対向する位置に開口部を有し、該開口部を除きノズル本体側空間を噴霧空間から隔離する隔壁部材とを設けた噴霧装置を有することにより、隔壁部材によって開口部に対向するノズルを、インキミストなどが浮遊する噴霧空間側から隔離することができ、案内面を効果的に作用させることができる。そのため長期間にわたり清浄なノズルを維持することが可能になった。
【００７２】
請求項２に係る発明によれば、湿し水噴出方向上流側の外周側から、湿し水噴出方向下流側の中央の噴口に向けて噴口周りを等分する複数の位置に傾斜のある案内面を有し、かつ外周面は汚れや異物の付着を防止する付着防止処理がなされているノズルと、両側縁部を側壁に取付けられ、かつノズルの湿し水噴出方向側に設けられ個々のノズルの噴口に対向する位置に開口部を有し、該開口部を除きノズル本体側空間を噴霧空間から隔離する隔壁部材と、隔壁部材の開口部を開閉可能な開閉手段とを設けた噴霧装置を有することにより、隔壁部材の開口部に設けられた開閉手段によって開口部を開閉可能であるため、ノズルを使用しないときは、閉塞された隔壁空間に隔離し、かつ隔離した状態で洗浄可能であるので、常にノズルを清浄な状態に維持でき、長期間にわたりローラーに対して安定した噴霧状態で湿し水を供給することが可能となった。更に、ノズルの清掃に手間が掛からず、装置の管理が極めて容易になった。
【００７３】
この発明によれば、噴口の周囲及びその付近に異物の付着を防止する付着防止処理がなされたノズルであるので、噴口周辺や案内面表面への汚れや異物の付着力を低下させ、汚れの付着や蓄積を防止する効果が向上する。
【図面の簡単な説明】
【図１】  この発明に係るスプレー式湿し水装置の第１実施形態におけるノズルを示し、４つ傾斜した溝からなる案内面を備えたノズルの部分断面説明図
【図２】  同じく図１のノズルの平面図
【図３】  同じく図２のノズルの斜視図
【図４】  この発明の第２実施形態におけるノズルを示し、４つの面からなる案内面を備えたノズルの斜視説明図
【図５】  この発明の第３実施形態におけるノズルを示し、円錐状面からなる案内面を備えたノズルの斜視説明図
【図６】  この発明の第４実施形態におけるノズルを示し、隔壁部材を備え、かつ図３に示す傾斜した溝からなる案内面を備えたノズルを有する噴霧装置の部分断面説明図
【図７】  この発明の第５実施形態におけるノズルを示し、隔壁部材を備え、かつ図５に示す円錐状面からなる案内面を備えたノズルを有する噴霧装置の部分断面説明図
【図８】  この発明の第６実施形態におけるノズルを示し、開閉手段を有する隔壁部材を備え、かつ４つの傾斜した溝からなる案内面を備えたノズルを有する噴霧装置の部分断面説明図
【図９】  図８に示す開閉手段を有する隔壁部材の斜視説明図
【図１０】  この発明の第７実施形態におけるノズルを示し、４つの傾斜した貫通する穴である傾斜穴からなる案内面を備えたノズルの部分断面説明図
【図１１】  この発明の各実施形態のノズルを備えた噴霧器を有する湿し水供給装置の概略構成説明図
【図１２】  この発明に係るスプレー式湿し水供給装置の噴霧装置の配置説明図である印刷機の正面説明図
【図１３】  従来技術を示し、従来のスプレー式湿し水供給装置のノズルの斜視説明図
【図１４】  従来技術を示し、従来のスプレー式湿し水供給装置の概略構成説明図
【符号の説明】
１  案内面（第１実施形態）
１０  ノズル
１１  ノズル本体
１２  ノズルチップ
１３  噴口
１４  すりわり
１５  ノズルフランジ
１６  ノズル端面
１７  溝
１８  溝の底面
１００  噴霧装置
１０１  噴霧器
１０２  ナット
１０３  湿し水供給路
１０４  支持部材
１０５  噴霧装置の側壁
１０６  排水路
２  案内面（第２実施形態）
２０  ノズル
２１  ノズル本体
２２  ノズルチップ
２３  噴口
２５  ノズルフランジ
２７  傾斜面
３  案内面（第３実施形態）
３０  ノズル
３１  ノズル本体
３２  ノズルチップ
３３  噴口
３５  ノズルフランジ
３７  円錐状面
４０  隔壁部材（第４実施形態）
４１  開口部
４２  フード
４３  側縁部
５０  隔壁部材（第５実施形態）
５１  開口部
５２  フード
６０  隔壁部材（第６実施形態）
６１  開口部
６２  フード
６３  側縁部
６４  開口縁
６５  ガイド
６６  軸受部
６７  閉塞空間
７０  開閉手段
７１  シャッター
７１ａ  シャッターの先端縁
７２  流体圧シリンダー
７２ａ  ピストンロッド
７３  ブラケット
７３ａ  ボルト
７３ｂ  ピン
７４  継手
７４ａ  ピン
７５  アーム
７６  軸
８１  隔壁空間（第４実施形態）
８１ａ  噴霧空間（第４実施形態）
８２  隔壁空間（第５実施形態）
８２ａ  噴霧空間（第５実施形態）
８３  隔壁空間（第６実施形態）
８３ａ  噴霧空間（第６実施形態）
９  案内面（第７実施形態）
９０  ノズル
９１  ノズル本体
９２  ノズルチップ
９３  噴口
９５  ノズルフランジ
９６  ノズル端面
９６ａ  ノズル端面の穴
９７  傾斜穴
Ａ  湿し水供給装置
Ｂ  加圧給水装置
Ｃ  軟水化装置
Ｄ  制御装置
Ｅ  外部
Ｆ  フィルター
Ｐ  印刷機
Ｒ  ローラー
ＰＲ  印刷胴
Ｗ  ウェブ料紙
【図１】
0003657922.tif 000002
【図２】
0003657922.tif 000003
【図３】
0003657922.tif 000004
【図４】
0003657922.tif 000005
【図５】
0003657922.tif 000006
【図６】
0003657922.tif 000007
【図７】
0003657922.tif 000008
【図８】
0003657922.tif 000009
【図９】
0003657922.tif 000010
【図１０】
0003657922.tif 000011
【図１１】
0003657922.tif 000012
【図１２】
0003657922.tif 000013
【図１３】
0003657922.tif 000014
【図１４】
0003657922.tif 000015